(57)【要約】【課題】遠隔制御によるランプの点灯および消灯操作を簡単で安価に実現するソケットアダプタを提供する。【解決手段】ソケット２０に取り付け可能な形状を有する口金部１１と、ランプ３０の口金３１を取り付け可能な形状を有する受口部１２と、ワイヤレスリモコンから送信されるランプ３０の点灯および消灯操作のための制御信号を受信する受光部１３と、を備えている。【選択図】図１
2009206054.tif 000002
【特許請求の範囲】
【請求項１】
ソケットに取り付け可能な形状を有する口金部と、
ランプの口金を取り付け可能な形状を有する受口部と、
ワイヤレスリモコンから送信される前記ランプの点灯および消灯操作のための制御信号を受信する受光部と、
を備えたソケットアダプタ。
【請求項２】
前記受光部が、前記口金部の前記ソケットへの取り付け方向に対して回転可能に設けられている、請求項１に記載のソケットアダプタ。
【請求項３】
複数のチャンネルを有するチャンネル切替スイッチをさらに備え、前記ランプの点灯および消灯操作のための前記制御信号が前記チャンネル毎に異なるように設定されている、請求項１または２に記載のソケットアダプタ。
【請求項４】
前記ランプと、前記ソケットと、前記１から３のいずれか１項に記載のソケットアダプタと、を備えた照明装置。
【請求項５】
前記ランプが電球形蛍光ランプである、請求項４に記載の照明装置。
【請求項６】
前記ワイヤレスリモコンをさらに備えた、請求項４または５に記載の照明装置。
【発明の詳細な説明】
【技術分野】
【０００１】
本発明は、ソケットアダプタと、そのソケットアダプタを備えた照明装置に関する。
【背景技術】
【０００２】
現在、一般電球用のソケットを備えた照明装置において、ワイヤレスリモコンによる遠隔制御による調光照明システムが提案されている。
【特許文献１】特開２００６−１８５７６８号公報
【発明の開示】
【発明が解決しようとする課題】
【０００３】
しかし、白熱電球や電球形蛍光ランプなどを装着できる従来のソケットを備えた照明装置において、ワイヤレスリモコンを利用した遠隔制御による点灯及び消灯操作の方法については提供されていない。それにより、そのような照明装置では利便性の低さが問題となっていた。また、遠隔制御を可能にするために、新たな照明装置の購入や、天井や壁面に設置されているソケット自体の交換などを行うことは、経済性の面からも好ましくない。
【０００４】
そこで本発明は、遠隔制御によるランプの点灯および消灯操作を簡単で安価に実現するソケットアダプタを提供することを目的とする。また、本発明は、そのソケットソケットアダプタを備えた照明装置を提供することを目的とする。
【課題を解決するための手段】
【０００５】
上述した目的を達成するために、本発明のソケットアダプタは、ソケットに取り付け可能な形状を有する口金部と、ランプの口金を取り付け可能な形状を有する受口部と、ワイヤレスリモコンから送信される前記ランプの点灯および消灯操作のための制御信号を受信する受光部と、を備えている。また、本発明の照明装置は、前記ランプと、前記ソケットと、上記に記載のソケットアダプタと、を備えている。
【発明の効果】
【０００６】
以上、本発明によれば、遠隔制御によるランプの点灯および消灯操作を簡単で安価に実現するソケットアダプタと、そのソケットアダプタを備えた照明装置を提供することができる。
【発明を実施するための最良の形態】
【０００７】
以下に、図１から図３を参照しながら、本発明の実施形態におけるソケットアダプタおよび照明装置を説明する。ここでは、照明装置のランプとして電球形蛍光ランプを適用した場合について説明する。
【０００８】
図１および図２に、ソケットアダプタ１０、ソケット２０、および電球形蛍光ランプ３０の側面図を示す。
【０００９】
本発明のソケットアダプタ１０は、口金部１１と、受口部１２と、受光部１３とを備えた構成となっている。
【００１０】
口金部１１は、壁面２１に設置されたソケット２０に取り付け可能な形状を有している。ここでは、口金部１１の形状は、電球形蛍光ランプ３０の口金３１と同様の、いわゆるＥ型形状となっており、ソケット２０に容易に装着可能である。もちろん、取り付けるソケットの形状に合わせて、その他の口金形状を有することもできる。
【００１１】
口金部１１の他端には、受口部１２が設けられており、電球形蛍光ランプ３０のいわゆるＥ型の口金３１を取り付けることができる形状となっている。その取り付け方向は、口金部１１のソケット２０への取り付け方向とほぼ一致している。図２に、受口部１２に電球形蛍光ランプ３０の口金３１を装着して、口金部１１をソケット２０に取り付けた様子を示している。受口部１２も、取り付けられるランプの形状に合わせて、その形状を変更することが可能である。ここでは、口金部１１の形状と受口部１２が受け入れる口金の形状とが同じ構成となっているが、異なる形状を組み合わせて構成することも可能である。それにより、ソケット２０に対して使用できるランプの種類が多くなることで、照明設備の多様性にも貢献できる。
【００１２】
受光部１３は、ワイヤレスリモコンから送信される電球形蛍光ランプ３０の点灯および消灯操作のための制御信号を受信するために設けられている。受光部１３で受信した制御信号は、ソケットアダプタ１０に内蔵された制御部（図示せず）に送られる。制御部では、受信した制御信号の情報を元に、トランジスタ等のスイッチング動作により回路の開閉制御が行われ、それにより、ランプの点灯および消灯操作が行われることとなる。また受光部１３は、口金部１１のソケット２０への取り付け方向に対して回転可能な回転部材１４の外面に設けられており、それにより、受光部１３も回転可能となっている（図１の矢印Ａ参照）。したがって、壁面２１に設置されたソケット２０にソケットアダプタ１０を装着した場合、使用者の位置からワイヤレスリモコンによって送信される制御信号を受光部１３が確実に受信できるように、受光部１３の位置を調整することが可能となる。
【００１３】
以上のように、ソケットアダプタ１０は、ソケット２０と電球形蛍光ランプ３０との間に装着できるような形状を有し、またランプの点灯および消灯操作のための制御信号を受信する受光部１３を備えている。そのため、本発明のソケットアダプタ１０によれば、付加的な工事等を施すことなく、電球形蛍光ランプ３０を備えた照明装置において、ワイヤレスリモコンによる点灯および消灯の遠隔操作が簡単に安価に実現可能となる。また、受光部１３がソケットアダプタ１０に対して回転可能に設けられているため、制御信号の受信位置を調整でき、信頼性の高い遠隔制御が実現できる。
【００１４】
また、本発明のソケットアダプタ１０は、チャンネル切替スイッチ１４をさらに備えている。
【００１５】
ソケットアダプタ１０本体の側面に設けられ、外部から操作可能であるチャンネル切替スイッチ１５は、２つのチャンネル（ＣＨ）を有している。それぞれのＣＨには異なる制御信号が設定されており、ワイヤレスリモコンから送信される制御信号が、選択したＣＨに対応する制御信号と一致するときのみ、ソケットアダプタ１０は電球形蛍光ランプ３０を点灯および消灯させることができる。これにより、チャンネル切替スイッチ１５でＣＨを切り替えることによって、ソケットアダプタ１０毎に電球形蛍光ランプ３０の点灯および消灯操作のための制御信号を切り替えることが可能となり、したがって、照明装置毎の遠隔制御が可能となる。このことを、図３に模式的に示した。
【００１６】
図３（ａ）に示すように、ワイヤレスリモコン３からＣＨ１に対応する制御信号が送信されたとする。そのとき、ＣＨ１が選択されたソケットアダプタ１０が装着されている照明装置１のみ、点灯または消灯操作させることができ、ＣＨ２が選択されたソケットアダプタ１０が装着されている照明装置２は遠隔制御することはできない。同様に、図３（ｂ）に示すように、ＣＨ２に対応する制御信号を送信すれば、照明装置２のみが点灯および消灯操作可能であるが、照明装置１の点灯および消灯操作の遠隔制御は不可能となる。このように、チャンネル切替スイッチ１５により異なるＣＨが選択されたソケットアダプタ１０を用いることで、２つの照明装置１、２の点灯および消灯操作を個別に遠隔制御することが可能となる。
【００１７】
なお、ここでは簡単のために、２つのチャンネルを有するチャンネル切替スイッチの例を示したが、さらに多くのチャンネルを有していても良い。その場合、１つのワイヤレスリモコンで多数の照明装置の点灯および消灯操作の遠隔制御が可能となり、照明装置の数に合わせてワイヤレスリモコンを用意する必要はなくなるため、使用者の利便性の向上にもつながり、また経済性の面からも効果的である。
【図面の簡単な説明】
【００１８】
【図１】本発明の実施形態における照明装置を示す側面図である。
【図２】本発明の実施形態における照明装置を示す側面図である。
【図３】本発明のソケットアダプタのチャンネル切替スイッチの機能を説明するための模式図である。
【符号の説明】
【００１９】
１、２  照明装置
３  ワイヤレスリモコン
１０  ソケットアダプタ
１１  口金部
１２  受口部
１３  受光部
１５  チャンネル切替スイッチ
２０  ソケット
３０  電球形蛍光ランプ
３１  口金
【図１】
2009206054.tif 000003
【図２】
2009206054.tif 000004
【図３】
2009206054.tif 000005